(57)【要約】【課題】  ４つの脚部を有するアンカーおいて隣接する脚部をリブなどで結合すると、リブで結合されている２つの脚部の間にビスが入り込まずそのリブが割れないので、確実にリブが割れるアンカーを提供する。【解決手段】  基端に頭部を有し、先端に穿孔刃を有し、その間の胴部の外周に雄ネジが形成されており、４つの割溝を胴部の先端寄りから基端方向に亘って設けることにより４つの脚部が形成され、軸線方向から見て４つの割溝は十字形をなし、軸線に関し点対称をなす２つの脚部の先端部に仮連結部が架け渡され、該仮連結部に前記穿孔刃が設けられている。【選択図】  図１
2010156438.tif 000002
【特許請求の範囲】
【請求項１】
中空に形成された石膏ボード用のアンカーであって、基端に頭部を有し、先端に穿孔刃を有し、その間の胴部の外周に雄ネジが形成されており、４つの割溝を胴部の先端寄りから基端方向に亘って設けることにより４つの脚部が形成され、軸線方向から見て４つの割溝は十字形をなし、軸線に関し点対称をなす２つの脚部の先端部に仮連結部が架け渡され、該仮連結部に前記穿孔刃が設けられ、且つ仮連結部は開脚の際に切断可能であることを特徴とするアンカー。
【請求項２】
仮連結部が形成されていない脚部である２つの自由端脚部の先端は、仮連結部が形成されている２つの脚部の先端部よりも基端寄りに存在する請求項１記載のアンカー。
【請求項３】
仮連結部が形成されている２つの脚部の間の空間部であって仮連結部に隣接する先端空間部は、２つの自由端脚部の先端よりもアンカーの先端寄りに位置して露出している請求項２記載のアンカー。
【請求項４】
十字形をなす割溝により断面が扇形に形成された脚部であって、仮連結部が形成されている２つの脚部の扇形の頂部は、少なくとも先端空間部の範囲で面取りされている請求項３記載のアンカー。
【発明の詳細な説明】
【技術分野】
【０００１】
本発明は、主に建築関係で使用される石膏ボード用のアンカーに関する。
【背景技術】
【０００２】
従来の石膏ボード用アンカーであって胴部を四つ割にして４つの脚部を形成したものは、隣り合う２つの脚部を一組としてその間の割溝内で対向する内面を部分的に結ぶ１つのリブが設けられ、さらに他の一組の脚部も同様にして１つのリブが設けられている。
【０００３】
このように、従来のアンカーは４つの脚部を有し、リブは割溝内に設けられているから、アンカーの先端には４つの脚部の尖った先端が存在する。したがって、使用時にアンカーをボードにねじ込むときに脚部の尖った４つの先端がボードに当たって引っ掛るので、アンカーがボードに入りづらいのである。また、一組の脚部が１つのリブで結合され、他の一組の脚部も１つのリブで結合されているが、この一組の脚部と他の一組の脚部はリブで結合されていない。したがって、アンカーをボードにねじ込んだあとで比較的細いビスをねじ込むときに一組の脚部と他の一組の脚部同士はリブで結合されていないので容易に広げられるが、リブで結合されている２つの脚部の間にビスが入り込む構造でないからリブが割れずに脚部が完全に開脚されない虞がある。
【先行技術文献】
【特許文献】
【０００４】
【特許文献１】特開２００７−１００８１０号公報
【特許文献２】登録実用新案第３００９６９６号公報
【発明の概要】
【発明が解決しようとする課題】
【０００５】
解決しようとする問題点は、４つの脚部を有するアンカーにおいて隣接する脚部をリブなどで結合すると、リブで結合されている２つの脚部の間にビスが入り込まないのでそのリブが割れない虞があることである。
【課題を解決するための手段】
【０００６】
本発明の請求項１は、基端に頭部を有し、先端に穿孔刃を有し、その間の胴部の外周に雄ネジが形成されており、４つの割溝を胴部の先端寄りから基端方向に亘って設けることにより４つの脚部が形成され、軸線方向から見て４つの割溝は十字形をなし、軸線に関し点対称をなす２つの脚部の先端部に仮連結部が架け渡され、この仮連結部に前記穿孔刃が設けられ、且つ仮連結部は開脚の際に切断可能である構成である。
【０００７】
請求項２は、仮連結部が形成されていない２つの自由端脚部の先端は、仮連結部が形成されている２つの脚部の先端部よりも基端寄りに存在する要素が請求項１に付加された構成である。
【０００８】
請求項３は、仮連結部が形成されている２つの脚部の間の空間部であって仮連結部に隣接する先端空間部が、２つの自由端脚部の先端よりもアンカーの先端寄りに位置して露出している要素が請求項２に付加された構成である。
【０００９】
請求項４は、十字形をなす割溝により断面が扇形に形成された脚部であって、仮連結部が形成されている２つの脚部の扇形の頂部が少なくとも先端空間部の範囲で面取りされている要素が請求項３に付加された構成である。
【発明の効果】
【００１０】
請求項１は、４つの割溝を胴部の先端寄りから基端方向に亘って設けることにより４つの脚部が形成され、軸線方向から見て４つの割溝は十字形をなし、軸線に関し点対称をなす２つの脚部の先端部に仮連結部が架け渡され、この仮連結部に前記穿孔刃が設けられ、仮連結部は開脚の際に切断可能である。したがって、仮連結部が形成されている２つの脚部は軸線を中心に対向するように位置している。これにより、石膏ボードに取り付けたアンカーにビスをねじ込んで行くと、ビスは両脚部の間に入り込み両脚部を離す方向に圧力を加えるので仮連結部は確実に切断される。登録実用新案第３００９６９６号公報の図面には、２つの脚部を有しそれらの間に仮連結部を設けたアンカーが開示され、明細書にスリット部を軸心方向から見て９０度のピッチで十文字状に形成し、各々のスリット部に仮連結部を配設することについて記載されている。しかし、本発明のような、軸線に関し点対称をなす２つの脚部の先端部に仮連結部が架け渡された構造については開示されておらず、本発明は４つの脚部を有し且つ仮連結部を確実に切断できるアンカーを提供することができる。
【００１１】
請求項２は、仮連結部が形成されていない２つの自由端脚部の先端が、仮連結部が形成されている２つの脚部の先端部よりも基端寄りに存在している。したがって、仮連結部に設けられた穿孔刃の穿孔によってアンカーが石膏ボードにねじ込まれ、自由端脚部は穿孔刃の穿孔に干渉しないから穿孔を円滑に行い得る。
【００１２】
請求項３は、仮連結部が形成されている２つの脚部の間の空間部であって仮連結部に隣接する先端空間部が、２つの自由端脚部の先端よりもアンカーの先端寄りに位置して露出している。したがって、アンカーを石膏ボードにねじ込むときに、削られた石膏の粒子が先端空間部で流入と流出を順次繰り返しながら取り込まれているので、アンカーの中空部に入る粒子の量を減らしてビスのねじ込みを円滑に行うことができる。
【００１３】
請求項４は、十字形をなす割溝により断面が扇形に形成された脚部であって、仮連結部が形成されている２つの脚部の扇形の頂部は少なくとも先端空間部の範囲で面取りされている。アンカーは先細りに形成されていてビスをねじ込むための中空部も先端近くでかなり細く形成されている。したがって、ビスをアンカーにねじ込むとき必要以上にきつい場合があり円滑にねじ込むことができないのであるが、脚部の角部を面取りすることによってビスを円滑にねじ込むことができる。また、少なくとも先端空間部の範囲で面取りされているから、その面取りによって先端空間部の幅が広がるので削られた石膏の粒子をより多く取り込むことができる。
【図面の簡単な説明】
【００１４】
【図１】図１は本発明の正面図である。
【図２】図２は本発明の側面図である。
【図３】図３は本発明を先端側から見た図である。
【図４】図４は図１における拡大Ａ−Ａ断面図である。
【図５】図５は図１における拡大Ｂ−Ｂ断面図である。
【発明を実施するための形態】
【００１５】
次に、本発明の実施形態について説明する。アンカー１は中空であってプラスチックで一体に形成されている。基端に頭部２を有し、先端に穿孔刃３を有している。それらの間の胴部４の外周に雄ネジ５が形成されている。図１に示すように正面から見た胴部４の先端寄りから基端方向に向かって２つの割溝６，７が設けられている。一方の割溝６は他方の割溝７よりも浅い。さらに図３に示すように胴部４の背面側にも割溝８，９が設けられている。一方の割溝８は他方の割溝９よりも浅い。割溝６と割溝８の深さはほぼ同じで、割溝７と割溝９の深さはほぼ同じである。割溝６と割溝８とは直線状につながっており、割溝７と割溝９も直線状につながっており、図３に示すようにアンカー１を軸線方向から見たときに４つの割溝は十字形をなしている。
【００１６】
胴部４に割溝６，７，８，９を設けることにより４つの脚部１０，１１，１２，１３が形成されている。脚部１１の先端部１６と脚部１３の先端部１７の間に仮連結部１４が架け渡されている。仮連結部１４の中央部１５は断面が楕円形に形成され、中央部１５の先端が先鋭な穿孔刃３に形成されている。仮連結部１４は最終的には切断する必要があるので約０．５ｍｍに薄く形成されている部分を有する。
【００１７】
仮連結部１４が架け渡されていない脚部１０，１２は先端１８，１９が自由端であるから、それらの脚部１０，１２はこれ以降、自由端脚部と呼ぶ。自由端脚部１０，１２は脚部１１，１３の先端部をカットした如き形状をなし、したがって自由端脚部１０，１２の先端１８，１９は脚部１１，１３の先端部１６，１７よりも基端寄りに位置する。これにより、脚部１１，１３の間の空間であって仮連結部１４に隣接する先端空間部２０は、自由端脚部１０，１２に遮られることなく露出する。
【００１８】
先端空間部２０は使用時に大きな効果を発揮する。すなわち、石膏ボードに穿孔刃３を宛がいドライバーでアンカー１を回転させると穿孔刃３が石膏を削ることにより粒子が出る。これがアンカー１の空間部に入り込むと、アンカー１を石膏ボードに取り付けてビスをねじ込むときにビスを円滑にねじ込むことができない。先端空間部２０を設けることにより、削られた石膏の粒子が先端空間部で流入と流出を順次繰り返しながら取り込まれているので、アンカーの中空部に入る粒子の量を減らしてビスのねじ込みを円滑に行うことができる。
【００１９】
図４に示すように、断面が扇形の脚部１１，１３の頂部が面取りされて面取りされた面２１，２２が形成されている。面取りされた分だけ先端空間部２０の幅が広がって、削られた石膏の粒子をより多く取り込むことができる。この面取りされた面２１，２２は浅い割溝６，８の溝底の位置まで延在している。また、図３に示すように、自由端脚部１０，１２にも面取りされた面２３，２４が形成されている。この面取りされた面２３，２４も浅い割溝６，８の溝底まで延在している。
【００２０】
また、図示しないが頭部２には電動ドライバーの係合部が形成されていて、電動ドライバーの先端を係合させてアンカー１を回転し石膏ボードにねじ込むことができる。
【００２１】
次に本発明の使用方法を説明する。厚みが９．５ｍｍの薄い石膏ボードに使用する場合について説明する。アンカー１の穿孔刃３を石膏ボードに宛がい、頭部の係合部に電動ドライバーの先端を係合させてアンカー１を石膏ボードに一杯にねじ込む。ねじ込まれたアンカー１の胴部４の一部は石膏ボードの裏面から突き抜ける。そして、その突き抜けの程度は、深い割溝７，９の溝底が石膏ボードの裏面からわずかに外に出るくらいである。この状態ではまだ深い割溝７，９も浅い割溝６，８も拡開していない。
【００２２】
次に、ビスを頭部２から胴部４の中にねじ込んでいく。そうすると、ビスの圧力によって仮連結部１４は切断され、脚部１１，１３及び脚部１０，１２は開脚する。アンカーを厚みが１２．５ｍｍの比較的厚い石膏ボードに使用する場合は、石膏ボードにねじ込まれたアンカー１の石膏ボードからの突き抜けの程度は、浅い割溝６，８の溝底が石膏ボードの裏面とほぼ同じ平面にある程度である。そして、この場合も前述した薄い石膏ボードと同様の使用方法により最終的にビスの圧力によって仮連結部１４は切断され、脚部１１，１３及び脚部１０，１２は開脚する。
【産業上の利用可能性】
【００２３】
４つの割溝により形成された４つの脚部の中の、軸線に関し点対称をなす２つの脚部の先端部に切断可能な仮連結部を架け渡したので、アンカーにビスをねじ込むときに仮連結部を確実に切断することができる。
【符号の説明】
【００２４】
１  アンカー
２  頭部
３  穿孔刃
４  胴部
５  雄ネジ
６  割溝
７  割溝
８  割溝
９  割溝
１０  自由端脚部
１１  脚部
１２  自由端脚部
１３  脚部
１４  仮連結部
１５  中央部
１６  先端部
１７  先端部
１８  先端
１９  先端
２０  先端空間部
２１  面取りされた面
２２  面取りされた面
２３  面取りされた面
２４  面取りされた面
【図１】
2010156438.tif 000003
【図２】
2010156438.tif 000004
【図３】
2010156438.tif 000005
【図４】
2010156438.tif 000006
【図５】
2010156438.tif 000007